(57)【要約】【課題】  内容物を収納するシリンダ２と、シリンダ２内に尾端側から挿入されるプランジャ３とを備え、プランジャ３の押し込み操作により内容物がシリンダ２の先端側に設けられる押出口５３から押出されるようにした注射器型容器１において、使用者がプランジャ３を強く押し過ぎても、内容物が押出口５３から大量に飛び出てしまうことを防止することができ、使い勝手の良いものとする。【解決手段】  シリンダ２の先端部内周に弾性材料製の栓体４が装着され、栓体４に、押出口５３とシリンダ２内とを連通する通路孔４２が形成され、通路孔４２の途中に孔径を大きくした拡径部４３が形成されている。【選択図】  図１
2006230890.tif 000002
【特許請求の範囲】
【請求項１】
内容物を収納するシリンダと、シリンダ内に尾端側から挿入されるプランジャとを備え、プランジャの押し込み操作により内容物がシリンダの先端側に設けられる押出口から押出されるようにした注射器型容器において、
シリンダの先端部内周に弾性材料製の栓体が装着され、
栓体に、押出口とシリンダ内とを連通する通路孔が形成され、
通路孔の途中に孔径を大きくした拡径部が形成されていることを特徴とする注射器型容器。
【請求項２】
前記シリンダの先端部外周に螺合する筒部と、筒部の先端面を閉塞する閉塞板部とを有し、閉塞板部に前記押出口を開設して成る押出口部材を備え、
前記栓体の先端に径方向外方に張り出すフランジ部が形成され、フランジ部がシリンダの先端縁と押出口部材の閉塞板部との間に挟持されることを特徴とする請求項１記載の注射器型容器。
【請求項３】
前記押出口部材に、押出口を閉塞するキャップが可撓性を有するヒンジ部を介して一体に設けられていることを特徴とする請求項２記載の注射器型容器。
【発明の詳細な説明】
【技術分野】
【０００１】
本発明は、化粧品や医薬部外品等の内容物を押出して使用することができるようにした注射器型容器に関する。
【背景技術】
【０００２】
従来、この種の容器として、化粧品等の内容物を収納するシリンダと、シリンダ内に尾端側から挿入されるプランジャとを備え、プランジャの押し込み操作により内容物がシリンダの先端側に設けられる押出口から押出されるようにした注射器型容器が知られている（例えば、特許文献１参照。）。このような従来の注射器型容器によれば、内容物をプランジャによりシリンダの内壁面に付着残留させることなく押出して使用することができる。
【０００３】
然し、従来の注射器型容器は、使用者がプランジャを強く押し過ぎると、内容物が押出口から大量に飛び出てしまうため、使用者はプランジャの押し込みを慎重に行う必要があり、操作が難しいものであった。
【特許文献１】特開２００４−６５４６７号公報（第６−７頁、第２Ａ図）
【発明の開示】
【発明が解決しようとする課題】
【０００４】
本発明は、以上の点に鑑み、使用者がプランジャを強く押し過ぎても、内容物が押出口から大量に飛び出てしまうことを防止することができる使い勝手の良い注射器型容器を提供することを目的とする。
【課題を解決するための手段】
【０００５】
上記目的を達成するため、本発明は、内容物を収納するシリンダと、シリンダ内に尾端側から挿入されるプランジャとを備え、プランジャの押し込み操作により内容物がシリンダの先端側に設けられる押出口から押出されるようにした注射器型容器において、シリンダの先端部内周に弾性材料製の栓体が装着され、栓体に、押出口とシリンダ内とを連通する通路孔が形成され、通路孔の途中に孔径を大きくした拡径部が形成されていることを特徴とする。
【０００６】
かかる構成によれば、使用者がプランジャの押し込み操作により内容物を押出口から押出す際に、内容物はまず栓体の通路孔を通過する。通路孔の途中には拡径部が形成されているため、使用者がプランジャを強く押し過ぎても、内容物は拡径部で径方向外方に拡がり、内容物の先端方向への流動速度が一旦緩和される。これにより、押出口からの大量な内容物の飛び出しを防止することができる。更に、栓体の弾性により、プランジャの押し込み力が強いほど、拡径部は入り込んだ内容物に押されて更に拡大する。そのため、プランジャの押し込み力の大小にかかわらず、内容物の押出口からの押出量を略一定に維持することができる。
【０００７】
ところで、シリンダの先端部への栓体の組付け作業性を良くするためには、シリンダの先端部にその先方から栓体を装着することが望まれるが、この場合、プランジャの押し込み操作による内圧増加で栓体がシリンダの先端部から抜け出ることを防止する必要がある。
【０００８】
そこで、シリンダの先端部外周に螺合する筒部と、筒部の先端面を閉塞する閉塞板部とを有し、閉塞板部に押出口を開設して成る押出口部材を備え、栓体の先端に径方向外方に張り出すフランジ部を形成し、フランジ部がシリンダの先端縁と押出口部材の閉塞板部との間に挟持されるようにすれば、シリンダの先端部から栓体が抜け出ることを防止でき、有利である。
【０００９】
尚、注射器型容器の不使用時には、押出口から内容物が漏れないようにキャップで押出口を閉塞しておく必要がある。この場合、押出口部材とは別体のキャップで押出口を閉塞することが考えられる。然し、これでは使用時に、一方の手で注射器型容器を把持し、キャップを他方の手で摘んで取り外すことが必要になり、そのため、両手を使用しなければならず面倒であり、又、キャップを紛失する虞もある。
【００１０】
これに対し、押出口部材に、押出口を閉塞するキャップを可撓性を有するヒンジ部を介して一体に設ければ、注射器型容器を使用する際に、両手を使用することなく、片手で注射器型容器を把持して、指でキャップを押し外すことができると共に、キャップを紛失する虞もなく、有利である。
【発明を実施するための最良の形態】
【００１１】
図１を参照して、１は本発明の実施形態の注射器型容器を示している。この注射器型容器１は、化粧品や医薬部外品等の内容物（図示省略）を収納するシリンダ２と、シリンダ２内に尾端側から挿入されるプランジャ３とを備える。
【００１２】
シリンダ２の尾端には、周方向に離間させて一対の指掛け用のフランジ部２１，２１が形成されており、両フランジ部２１，２１に人差し指と中指とを引掛けた状態で親指によりプランジャ３を押し込み操作できるようにしている。プランジャ３の先端には、シリンダ２の内壁面に液密に摺接するゴム等の弾性材料製のピストン部３１が設けられている。このピストン部３１により内容物はシリンダ２の内壁面に付着残留することなく押出される。
【００１３】
シリンダ２の先端部内周にはゴム等の弾性材料製の栓体４が装着される。栓体４の先端には径方向外方に張り出すフランジ部４１が形成されている。又、シリンダ２の先端部外周に螺合する筒部５１と、筒部５１の先端面を閉塞する閉塞板部５２とからなる押出口部材５が、シリンダ２の先端に取り付けられている。閉塞板部５２には押出口５３が開設されている。
【００１４】
栓体４のフランジ部４１は、シリンダ２の先端縁と押出口部材５の閉塞板部５２との間で液密に挟持されている。これにより、プランジャ３の押し込み操作によるシリンダ２の内圧増加で栓体４がシリンダ２の先端部から抜け出ることを防止できると共に、シリンダ２と押出口部材５との螺合部分から内容物が漏れ出ることを防止できる。
【００１５】
栓体４には押出口５３とシリンダ２内とを連通する通路孔４２が形成されている。通路孔４２の途中には孔径を大きくした拡径部４３が２つ設けられている。尚、実施形態においては、拡径部４３は断面が弧状となるように形成されているが、これに限られず、例えば、拡径部４３は断面が矩形状となるように形成してもよい。
【００１６】
使用者がシリンダ２の先端方向に向かってプランジャ３を押し込むと、内容物はまず栓体４の通路孔４２を通過するため、使用者がプランジャ３を強く押し過ぎても、内容物は通路孔４２の途中に形成された拡径部４３で径方向外方に拡がり、内容物の先端方向への流動速度が一旦緩和される。これにより、押出口５３からの大量な内容物の飛び出しを防止することができる。又、栓体４の弾性により、プランジャ３の押し込み力が強いほど、拡径部４３は入り込んだ内容物に押されて更に拡大するため、プランジャ３の押し込み力の大小にかかわらず、内容物の押出口５３からの押出量を略一定に維持することができる。又、拡径部４３が通路孔４２内に複数形成されているため、内容物の押出口５３からの大量の飛び出しを緩和する機能をより向上させることができる。
【００１７】
尚、注射器型容器１の不使用時には、押出口５３から内容物が漏れないようにキャップで押出口を閉塞しておく必要がある。この場合、押出口部材５とは別体のキャップで押出口５３を閉塞することが考えられる。然し、これでは使用時に、一方の手で注射器型容器１を把持し、キャップを他方の手で摘んで取り外すことが必要になり、そのため、両手を使用しなければならず面倒であり、又、キャップを紛失する虞もある。
【００１８】
そこで、実施形態では、押出口部材５に、押出口５３を閉塞するキャップ５４を可撓性を有するヒンジ部５５を介して一体に設けている。これによれば、図２に示すように、注射器型容器１を使用する際に、両手を使用することなく、片手で注射器型容器１を把持して、この片手の指でキャップ５４を押し外すことができるようになると共に、キャップ５４を紛失する虞もなく、便利である。
【００１９】
尚、実施形態においては、拡径部４３を通路孔４２に２つ形成しているが、拡径部４３の数は３つ以上であっても又１つであってもよい。
【図面の簡単な説明】
【００２０】
【図１】本発明の注射器型容器の実施形態の構成を示す説明図。
【図２】実施形態のキャップを外した状態を示す説明図。
【符号の説明】
【００２１】
１…注射器型容器、  ２…シリンダ、  ３…プランジャ、  ４…栓体、  ４１…フランジ部、  ４２…通路孔、  ４３…拡径部、  ５…押出口部材、  ５１…筒部、  ５２…閉塞板部、  ５３…押出口、  ５４…キャップ、  ５５…ヒンジ部。
【図１】
2006230890.tif 000003
【図２】
2006230890.tif 000004